(57)【要約】  車椅子の脚載せを調整するための装置（１）であって、その上端（３）が車椅子の前方上部（４）に備え付けられ、その下端（５）がフットレスト（６）に備え付けられる支柱（２）を有し、少なくとも支柱（２）の下部（２”）はリンク（７）において蝶番により接続される装置において、支柱（２）の下部（２”）には、リンク（７）からある距離を隔てて、リンク（７）の旋回軸にオリゴを備えた円弧に沿って形成された複数の調整孔（９）を有する第一の、好ましくは円弧形状をした部分（８）が備えられ、車椅子の前方下部（１０）には、第一部分（８）とともにロックする、第二の、好ましくは円弧形状をした部分（１１）が備えられており、第一部分（８）と同様に、円弧に沿って第二部分（１１）に形成された複数の調整孔（９）を有し、有利にはリンク（７）の周りに支柱（２）の下部（２”）を回転させることで、位置合わせされたそれぞれの部分（８、１１）の二つの調整孔（９）に固定ボルト（１２）を通すことにより固定がなされる装置。
2010503511.tif 000002
【特許請求の範囲】
【請求項１】
車椅子の脚載せを調整するための装置（１）であって、その上端（３）が前記車椅子の前方上部（４）に備え付けられ、その下端（５）がフットレスト（６）に備え付けられる支柱（２）を有し、少なくとも前記支柱（２）の下部（２”）はリンク（７）において蝶番により接続される装置において、
前記支柱（２）の前記下部（２”）には、前記リンク（７）からある距離を隔てて、前記リンク（７）の旋回軸にオリゴを備えた円弧に沿って形成された複数の調整孔（９）を有する第一の、好ましくは円弧形状をした部分（８）が備えられ、
前記車椅子の前方下部（１０）には、前記第一部分（８）とともにロックする、第二の、好ましくは円弧形状をした部分（１１）が備えられており、前記第一部分（８）と同様に、円弧に沿って前記第二部分（１１）に形成された複数の調整孔（９）を有し、
有利には前記リンク（７）の周りに前記支柱（２）の前記下部（２”）を回転させることで、位置合わせされたそれぞれの前記部分（８、１１）の二つの前記調整孔（９）に固定ボルト（１２）を通すことにより固定がなされる、ことを特徴とする装置。
【請求項２】
前記固定ボルト（１２）が、ナットとともに固定されることを特徴とする、請求項１に記載の装置。
【請求項３】
前記固定ボルト（１２）が、前記調整孔（９）に形成されたねじ山に固定されることを特徴とする、請求項１に記載の装置。
【請求項４】
前記リンク（７）が、前記車椅子の前記前方上部（４）および前記支柱（２）の接合部に設けられることを特徴とする、請求項１乃至３に記載の装置。
【請求項５】
前記リンク（７）が、前記支柱（２）の上部（２’）および下部（２”）の間に設けられることを特徴とする、請求項１乃至３に記載の装置。
【請求項６】
３つの前記調整孔（９）が、それぞれの前記部分（８、１１）に形成されることを特徴とする、請求項１乃至５に記載の装置。
【請求項７】
装置（１）の角度調整が、７０°、８０°、および９０°の所定の角度で実行されることを特徴とする、請求項６に記載のブレード。
【請求項８】
請求項１乃至７に記載の装置を使用する角度調整方法であって、
前記リンク（７）の周りに前記支柱（２）の前記下部（２”）を回転させることによって、それぞれの前記部分（８、１１）の選択された二つの前記調整孔（９）を互いに位置合わせするステップと、
それぞれの前記部分（８、１１）を互いにロックするために、前記二つの調整孔（９）に固定ボルト（１２）を通すステップと、
を含むことを特徴する角度調整方法。
【請求項９】
前記固定ボルト（１２）をナットとともに固定するステップを含むことを特徴とする、請求項８に記載のブレード。
【請求項１０】
前記固定ボルト（１２）を前記調整孔（９）に形成されたねじ山に固定されるステップを含むことを特徴とする、請求項８に記載のブレード。
【発明の詳細な説明】
【技術分野】
【０００１】
本発明は、車椅子の脚載せ調整用装置および方法に関する。より詳しくは、本発明は、添付の特許請求の範囲の請求項１および８の前文にそれぞれ記載される装置および方法に関する。
【背景技術】
【０００２】
本発明の装置は既存の解決手段を改良するものであり、異なる使用者の要求に合わせて脚載せの脚角度を調整することに関して、より容易に調整することができる。従来技術において、このことは、固定された角度で取付けられる、異なる脚載せを提供することによって解決されていた。この手段によると、求められる角度を変更するために、脚載せ全体を交換することが必要となる。水平面から脚載せまでが、７０°、８０°、あるいは９０°の固定角度を提供する足載せが、しばしば使用されている。
【発明の概要】
【発明が解決しようとする課題】
【０００３】
従来技術の例は、米国特許第３，２８２，６０５号明細書および米国特許第３，３３７，２６１号明細書にも開示されているが、フット／レッグレスト（ｆｏｏｔ／ｌｅｇ  ｒｅｓｔ）の角度変更に関してほぼ同一の解決手段であり、いずれも、本発明の解決手段よりも複雑な解決手段である。レストの上端は、車椅子の他の部分に蝶番により取付けられており、蝶番の下である距離を隔てて、円弧形状を有する歯付ラック状の装置がレストに取り付けられている。歯付ラックは、車椅子の他の部分に固定されているロック装置と協働することが意図されており、このロック装置は、歯付ラックの歯と係合する、刃あるいは刃のような形状の機構、および、歯付ラックをサイドシフティング（ｓｉｄｅ  ｓｈｉｆｔｉｎｇ）するための機構であって、ロック装置の歯から外す機構を有する。この点において、レストの求められる角度はいくつかのステップにより調整可能であり、求められる角度が決まると、ロック機構が歯付ラックをサイドシフティングを機能させ、ロック装置の歯と再び係合させる。
【課題を解決するための手段】
【０００４】
本発明の装置および方法は、請求項１および８の本体部に開示されている構成要件によって特徴付けられる。
【０００５】
本発明の有利な実施形態は、従属項に記載されている。
【０００６】
本発明の装置について、添付の図面を参照しながら以下でより詳細に述べる。
【図面の簡単な説明】
【０００７】
【図１】従来技術の固定された角度の異なる脚載せを示す。
【図２】異なる角度に設定された、本願発明の角度調整可能な脚載せを示す。
【図３】車椅子に取り付けられ、かつ異なる角度に設定された図２に示された脚載せを示す。
【図４】図３に示された脚載せおよび車椅子の詳細斜視図である。
【発明を実施するための形態】
【０００８】
図２乃至４を参照しながら、本発明の車椅子の脚載せ調整用装置を説明する。
【０００９】
図４を参照すると、装置１は、その上端３が車椅子の前方上部４に備え付けられ、その下端５がフットレスト６に備え付けられる、支柱２を有する。支柱２は、リンク７において蝶番により接続される上部２’および下部２”をさらに有する。支柱２の下部２”には、リンク７からある距離を隔てて、リンク７の旋回軸にオリゴ（ｏｒｉｇｏ）を備えた円弧に沿って形成された複数の調整孔９を有する、第一の、好ましくは円弧形状をした部分８が備えられている。車椅子の前方下部１０には、第一部分８とともにロックする、第二の、好ましくは円弧形状をした部分１１が備えられており、第一部分８と同様に、円弧に沿って第二部分１１に形成された複数の調整孔９を有し、有利にはリンク７の周りに支柱２の下部２”を回転させることで互いに位置合わせされた、それぞれの部分８、１１の二つの調整孔９にボルト１２を通すことにより固定がなされ、ボルトはナットとともに固定される。
【００１０】
装置１の角度調整は、図を参照すると明らかなように、無段階ではないが、水平面から、リンク７を介して、支柱２の下部２”までが、例えば７０°、８０°、あるいは９０°の所定の角度を有する。このことは、図２を参照すると最も明らかになる。したがって、使用者の脚のために、予め決められた固定された角度が得られる。
【００１１】
図示しない他の実施例においては、ロックボルト１２は、ロックナット１３を使用する代わりに、調整孔９に形成されたねじ山に固定される。
【００１２】
図示しないさらに別の実施例においては、車椅子の前方上部４および支柱２の接合部にリンク７が設けられる。
【００１３】
上述の「上」、「下」、「前」等の方向に関する記載は、単に記述的な目的のためだけに示されたものであり、本発明を限定するものと理解されるべきものではない。
【図１】
2010503511.tif 000003
【図２】
2010503511.tif 000004
【図３】
2010503511.tif 000005
【図４】
2010503511.tif 000006
【国際調査報告】
2010503511.tif 000007
2010503511.tif 000008
2010503511.tif 000009